(57)【要約】      （修正有）【課題】幼稚園等の施設における幼児がテーブルで食事をするときに使用する安全で安定したウイルス感染対策パーテーションを提供する。【解決手段】卓上のパーテーションは、透明合成樹脂製の大きな面とした正面パネル１３と少し小さい面とした側面パネル１４とからなる略Ｌ形パネル１を２枚、夫々の角部１１の外稜線縁を突き合わせて対向させた略十状になる状態に並べて配置して、その角部１１の上縁を連結具２で固定した。連結具２は、パネル厚の挟着溝を形成する対の挟着片を直交して垂設したものであり、Ｌ形パネル１の角部１１上縁に上から嵌合して連結して組み合わせる。【選択図】図１
0003228143.tif 000002
【実用新案登録請求の範囲】
【請求項１】
正面パネルと側面パネルとを直角な角部を介して設けた平面視で略Ｌ字状のＬ形パネル２枚を前記それぞれの角部の外稜線縁を突き合わせて対向させて略十状になる状態に並べて配置して、その角部の上縁を連結具で連結固定したことを特徴とするパーテーション。
【請求項２】
卓上に設置をするパーテーションであって、透明合成樹脂製の隅丸透明長方形板を、途中で直角に折り曲げて角部を形成した平面視で略Ｌ字状のＬ形パネルとし、その略Ｌ形パネルは、隅丸の大きな面とした正面パネルと隅丸の少し小さい面とした側面パネルとからなり、その略Ｌ形パネル２枚を夫々の角部の外稜線縁を突き合わせて対向させて全体平面視で略十状になる状態に並べて配置してその角部の上縁を左右２個の連結具で固定したことを特徴とするパーテーション。
【請求項３】
前記連結具が、パネル厚の挟着溝を形成する対の挟着片を直交して垂設したものであり、Ｌ形パネルの角部上縁と対向するＬ形パネルの角部上縁に上から嵌合して連結した請求項１〜請求項２のいずれかに記載のパーテーション。
【請求項４】
前記連結具が、接着層を背面に設けた平面視Ｌ状の連結具であって、Ｌ形パネルの角部と対向するＬ形パネルの角部の縁に横付けして接合連結した請求項１〜請求項３のいずれかに記載のパーテーション。
【請求項５】
前記Ｌ形パネルの上縁に返し辺を設けたことを特徴とする請求項１〜請求項４のいずれかに記載のパーテーション。
【考案の詳細な説明】
【技術分野】
【０００１】
本考案は、ウイルス感染対策のパーテーションの構造に関する。
特に幼児や子供が食事をするテーブルに配置する飛沫感染予防に有用な卓上パーテーションに関する。
【背景技術】
【０００２】
新型コロナウイルスによる感染は、肺炎に似た症状で、感染は空気感染、飛沫感染や接触感染のケースがあり、２０２０年前期現時点では、ワクチン開発以外に有効な対策を見出せない状況である。
ウイルスの粒子は直径７５〜１３０ｎｍの多形性エンベロープをもち、表面に１２〜２４ｎｍの突起があり、人が口から飛沫として吐出するときは２〜３ｍ近く飛沫拡散することが知られている。
この飛沫防御のためには、スーパーコンピュター「富岳」でのＡＩ実験では、口から出る飛沫吐出流は、ほぼ正面方向に流れてゆくことが実証され、テーブルにパーテーションを立てた防御が、極めて効果的であることが、対座着席した状態での飛沫拡散動画シミュレーションとして実証されている。
【０００３】
従来の卓上パーテーションの多くは、出願人の知見する図１４の従来例（ａ）（ｂ）（ｃ）に示すように、１枚透明アクリル板状のパーテーションパネルと支持台からなり、支持台にパーテーションパネルを立てて自立式で使用している。
従来のパーテーションは、数面で組み合うことや連結をする構造ではなく、一面パネルの構成であるために、独立して立つための支持台は不可欠な構成である。
支持台は、原則として使用者が、接触しないということを前提としているため、支持台は比較的小さく幅も狭く設計しているが、それでも支持台は突き出た分テーブルの使用範囲は狭まり、注意を要する。
【０００４】
又、パーテーションのパネルや支持台は、鋭い角ができないように処理はなされているが、それでも少し角張ったエッジがある。
勿論、従来のパーテーションの構成は、社会的に商業的に大人が使用するという状況を前提とするときには、大きな問題は見えない。
【０００５】
但し、 従来構造のパーテーションは、使用の環境によっては次の課題がある。
幼児の感染予防のためにも、当然パーテーションが必要である。
特に小学校、保育所や幼稚園で、小学生低学年の生徒や、数名の園児、幼児が同じテーブルで一緒におやつや食事をするときに使用する場合のパーテーションを想定すると、課題は顕著である。
幼児は、常には礼儀正しく正対し、保育士や教諭の指導にしっかり応対するが、時によっては予想外の行動や、十分な注意をしないまま行動し、順序ある動きが伴わず学習通りに行動できない状態になることもある。
【０００６】
そのため、
１：パーテーションにエッジがあると、幼児が手などをひっかいてしまうことがある。
２：幼児は、目の前の握りやすい支持台を握ることがある。
３：支持台がデザイン上比較的小さいので、小さな振動や接触で倒れることがある。
４：パーテーションに隙間や窓があると、幼児は手を差し入れたり、顔を出して覗いたりする。
５：一枚パネルのパーテーションは、支持台が前後方向に倒れやすい位置に配置しているため、接触やもたれかけで倒れる可能性がある。
６：特に透明であるので、幼児は気づかずに頭や腕をぶつけたり、力を加えたりしてしまうことがある。
このように、従来の支持台を設ける構成は、幼児が支持台を持ったり。軽く接触したりすることで、倒おすおそれがあり、このような使用環境では、転倒防止構造は十分ではなかった。
【０００７】
上述のようにパーテーションが飛沫感染防止に有効であることは実証されているものの使用の状況によっては、上述のような課題があり研究改良することが要請される。
本考案者は、幼稚園等における園児のおやつや食事の環境、老人や身体障害者のテーブル事情を長年の経験により多面的に追究しながら試作品をつくり、改良の結果、安全性や耐転倒性を高め、実用的なパーテーションを達成したものである。
【先行技術文献】
【特許文献】
【０００８】
【特許文献１】意匠登録第１５８７７００号  「机上用仕切り板」  意匠登録公報
【特許文献２】特開２０１２−２２５０８９号公報「空間仕切り部材」公開特許公報
【考案の概要】
【考案が解決しようとする課題】
【０００９】
本考案は、幼児などが、同じテーブルで数名がおやつや食事をするときのパーテーションにおいて、ウイルス感染対策のパーテーションとして安全性と耐転倒性を高め、視認性をもち、より飛沫防止が可能なパーテーションの開発を課題とする。
幼児等が使用する状況に鑑みて、従来の商業的対面防御を主とするパーテーション技術では対応していなかった課題を見出し、幼児でも安全に使用できるパーテーションを提供する。
【課題を解決するための手段】
【００１０】
本考案は、正面パネルと側面パネルとを直角な角部を介して設けた平面視で略Ｌ字状のＬ形パネル２枚を前記それぞれの角部の外稜線縁を突き合わせて対向させて略十状になる状態で配置して、その角部の上縁を連結具で連結固定したことを特徴とするパーテーションである。
【００１１】
本考案に係るパーテーションは、特に、幼稚園の食卓テーブル等に設置して使用される卓上パーテーションで、ＰＥＴ樹脂等の合成樹脂製の隅丸透明長方形板を、途中で直角に折り曲げて角部を形成した平面視で略Ｌ字状のＬ形パネル（以下略Ｌ形パネルと称する）とし、その略Ｌ形パネルは、隅丸の大きな面とした正面パネルと隅丸の少し小さい面とした側面パネルとからなり、その略Ｌ形パネル２枚を、夫々の角部の外稜線縁を突き合わせて対向させて全体平面視で略十状になる状態に並べて配置してその角部の上縁を左右２個の連結具で固定した構成である。
【００１２】
本考案に係る卓上で使用するパーテーションは、主として次の構成部品からなる。
１、    隅丸の正面パネルと隅丸の側面パネルを直角に折り曲げて角部を形成した平面視でＬ形の透明合成樹脂製のパネルＡ。
２、    隅丸の正面パネルと隅丸の側面パネルを直角に折り曲げて角部を形成した平面視でＬ形の透明合成樹脂製のパネルＢ。
３、    上記Ｌ形パネルＡとＬ形パネルＢを、その角部の外稜線縁を対向させてパネルＡとパネルＢの上端縁を連結する連結具。
【考案の効果】
【００１３】
本考案に係るパーテーションは、透明合成樹脂製で隅丸の大きな面とした正面パネルと隅丸の少し小さい面とした側面パネルを直角に折り曲げて角部を形成した平面視でＬ形のパネルを２枚、夫々の角部を突き合わせて対向させて全体平面視で略十状になった状態を連結具で組み合わせ固定した構成である。
【００１４】
この構成のパーテーションは、次のような効果がある。
１、    テーブルを４個所に分けて４人で座って、食事をするときに配置する場合は、Ｌ形パネルの角部を対向させて、テーブルの上に配置し、上方から連結具を差し込んで設置できる。
構成部品は、Ｌ形パネル２枚と連結具２個の４個であり、簡単に組み立てられる。
構成部品数を増やし、Ｌ形パネルを多数枚、連結具で延長することも可能である。
２、    組み立て、分解が簡易であるので、設置や収納に優れており、設置後は略十状の方向に二つのＬ形パネルが張り出すので、ほぼ全方向に耐転倒性を発揮することになる。
３、    隅丸の大きな面とした正面パネルと隅丸の少し小さい面とした側面パネルを直角に折り曲げて角部を形成した平面視でＬ形のパネルは、どの個所にも鋭いエッジ（鋭角個所）はなく、支持台もない。
特にパネルの４個所の隅丸は、大きな円の隅丸で、幼児が触れても手を引っ掻くことはない。
４、    パネルは、透明な合成樹脂製で、具体的には透明なＰＥＴ樹脂製であり、アクリル樹脂に比べ強度があり、落下などの耐衝撃性にも優れている。
アルコール消毒も問題がなく、耐薬品性もある。
【００１５】
５、    パネルを支える支持台がないので、テーブルのスペースが広く使え、幼児が手や指を食器やパーテーションに引っ掛けることが少なくなる。
６、    連結具は小さいが、上方中央に位置するので、特に着色体で成形しておくと、空中に視認でき、パネルの存在を容易に気づかせることができる。
７、    パーテーション設置の目的は、新型コロナウイルス、インフルエンザなどのウイルスの飛沫感染を防御することで、口から呼気に混じって吐出される飛沫吐出流を制御することである。本考案は、正面パネルと側面パネルで、少なくとも正面と隣席には飛沫吐出流は流れにくい構成である。
８、    飛沫吐出流は、パネルの高さや幅によって制御できるが、大きさは、設置場所や、幼児に影響するので、余計に大きくする設計方針は成立しない。
そのため、正面パネルの上縁に連結具を利用して吐出流の返し辺をパネル上縁に設けることも提案している。
９、    幼児のための、パーテーションの設置は、幼児教育上もたいへん大切な課題である。体験させることで、社会的にウイルスの感染予防様式である三密（密閉  密集  密接）予防教育に適しており、パーテーションの間隔はソウシャルディスタンスの重要性の教育にもなる。
１０、本考案のパーテーションは、非金属材質で一枚の合成樹脂板を加工し屈折してパネルを成形するもので、連結具も小さく、全体の重量が低減でき、コストの低廉化も図れる。
【図面の簡単な説明】
【００１６】
【図１】図１は、本考案に係るパーテーションの実施例１を示す組立て前の分解斜視図である。
【図２】図２は、同じく実施例１で使用する連結具とＬ形パネルとの取付け状態の説明図である。
【図３】図３は、同じく実施例１で使用する連結具の斜視図である。
【図４】図４は、返し辺を付設した連結具を示す斜視図である。
【図５】図５は、同じく実施例１で使用する異なる形状の連結具の斜視図である。
【図６】図６は、本考案に係るパーテーションの実施例１の４個の構成部品を示すもので、組立てる説明図である。各パネルの角部をＰの方向に寄せて、上方から連結具を差し込んで略十状に組み立てる状態である。
【図７】図７は、本考案に係るパーテーションの実施例１の連結状態を示す図面代用写真である。パネル上端を挟む挟着片を長く形成した連結具を取り付けて一体化する状態を示している。
【図８】図８は、本考案に係るパーテーションの実施例１であって、幼稚園の園児を着席させて実際に使用している状態の図面代用写真である。
【図９】図９は、本考案に使用する異なる連結具を示す平面図である
【図１０】図１０は、同じく本考案に使用する異なる連結具を示す平面図である。
【図１１】図１１は、図８に示す連結具を用いてパネルを接合し、連結具の上に返し辺を設けた状態を説明する平面図である。
【図１２】図１２は、Ｌ形パネルの寸法が異なる例を示す平面図である。
【図１３】図１３は、本考案に係るパーテーションの異なる連結具を用いた実施例１を示すもので、組立てを説明する平面図である。各パネルの角部をＰの方向に寄せて、パネルの上方交錯面に連結具を接着して略十状に組み立てる状態を示している。
【図１４】図１２は、出願人が知見する従来のパーテンションを示すもので（ａ）（ｂ）（ｃ）は、いずれも支持台を備えた自立式のパーテーションの斜視図である。
【考案を実施するための形態】
【００１７】
本考案に係るパーテーションは、幼稚園の食卓テーブル等に設置して使用される卓上パーテーションで、ＰＥＴ樹脂等の合成樹脂製の隅丸透明長方形板を、途中で直角に折り曲げて角部を形成した平面視で略Ｌ形パネルとし、その略Ｌ形パネルは、隅丸の大きな面とした正面パネルと少し小さい面とした側面パネルとからなり、その略Ｌ形パネル２枚を用い並べて、夫々の角部の外稜線縁を突き合わせて対向させた略十状になる状態で配置してその角部の上縁を左右２個の連結具で固定したことを特徴とするパーテーションである。
【００１８】
略Ｌ形パネル２枚をＬ形パネルＡとＬ形パネルＢとして、その各々の角部を対向させて配置し、パネルＡとパネルＢの近接する上端縁を連結する連結具が備えられる。
略Ｌ形パネルは、ＰＥＴ樹脂等の合成樹脂製で４隅を円周形に隅丸にした透明長方形板を中途で折り曲げて加工成形したもので、隅丸の正面パネルと隅丸の側面パネルを直角に折り曲げて角部を形成した平面視でＬ形に成形される。
【００１９】
略Ｌ形パネル２枚をＬ形パネルＡとＬ形パネルＢとして、夫々の角部の外稜線縁を突き合わせて対向させた略十状になる状態で並べて配置してその角部の上縁を左右２個の連結具で固定するが、その連結具には、Ｌ形パネルＡの角部上縁と対向するＬ形パネルＢの角部上縁に上から嵌合して連結するものでパネル厚の挟着溝を垂設する一対の挟着片を直交して設けた連結具や、Ｌ形パネルの角部と対向するＬ形パネルの角部の縁に横付けして接合連結するもので背面に接着層を設けた平面視Ｌ状の連結具がある。
連結具は、Ｌ形パネルの角部と対向するＬ形パネルの角部に対し左右から取り付けて連結する。
【００２０】
テーブル上に平面視で略十状に組み合わされ設置されたパーテーションは、テーブルを４個所に分割して隔離し、食事中に吐出される空気飛沫がパーテーションを越えて拡散しないように防御する。
【実施例１】
【００２１】
次に、図面に示す実施例１について説明する。
図１〜図８は、本考案に係るパーテーションの実施例１を示すものである。
実施例１は、ＰＥＴ樹脂製の隅丸透明長方形板を、途中で直角に折り曲げて角部（１１）を形成した平面視で略Ｌ形パネル（１）とし、その略Ｌ形パネル（１）は、隅丸（１２）の大きな面とした正面パネル（１３）と隅丸（１２）の少し小さい面とした側面パネル（１４）とからなり、その略Ｌ形パネ（１）２枚を、夫々の角部（１１）の外稜線縁を突き合わせて対向させた略十状になる状態で配置してその角部（１１）の上縁を連結具（２）で固定したパーテーションである。
【００２２】
構成部品としては、Ｌ形パネル（１）と連結具（２）のみであり、夫々２個で、計４個の組み合わせが基本となる。
略Ｌ形パネル（１）は、ＰＥＴ樹脂等の合成樹脂製で４隅を円周形に隅丸（１２）にした透明長方形板を中途で折り曲げて加工成形したもので、隅丸（１２）の正面パネル（１３）と隅丸（１２）の側面パネル（１４）を直角に折り曲げて角部（１１）を形成した平面視でＬ形に成形される。
【００２３】
Ｌ形パネル（１）は、透明板を折り曲げて角部を形成しているが、正面パネルと側面パネルを蝶番のように屈折自在にして角部を形成する設計変更も想定できる。
略Ｌ形パネル２枚をＬ形パネル（１）ＡとＬ形パネル（１）Ｂとして、その各々の角部（１１）を対向させて上端縁を連結する連結具（２）が備えられる。
【００２４】
連結組み立ては、略Ｌ形パネル２枚をＬ形パネル（１）ＡとＬ形パネル（１）Ｂとして、夫々の角部（１１）の外稜線縁を突き合わせて対向させた略十状になる状態に配置してその角部（１１）の上縁を連結具（２）で固定する。
その連結具（２）は、図１、図２、図３、図４のように、Ｌ形パネル（１）Ａの角部上縁とＬ形パネル（１）Ｂの角部（１１）上縁に上から嵌合連結するもので、パネル厚の挟着溝（２２）を垂設する一対の挟着片（２１）を直交して設けたものである。
【００２５】
連結具（２）は、図５のように中途に肉薄の屈折自在部を介在させてパネル厚の挟着溝（２２）をＬ字状になる位置に２カ所設けるなど、種々設計変更が可能である。
図５の中途に肉薄の屈折自在部を介在させて挟着溝（２２）を２つ設けた連結具（２）は、挟着溝（２２）をＬ形に配置して使用できるほか、水平方向に配置して直線状に連結することもできる。
連結具（２）の素材は、中途で屈折自在になるような合成ゴム素材ほか合成樹脂である。
【００２６】
Ｌ形パネル（１）は、その形状自体が自立するため、連結具（２）には荷重はかからないので、ポリエチレン  ポリスチレン  ポリプロピレン  ポリアセタールのような素材でも、もっと柔軟なゴム素材でも問題はない。
連結具（２）は、Ｌ形パネル（１）Ａの角部上縁とＬ形パネル（１）Ｂの角部（１１）上縁をクリップし、しっかりと固定する構造であれば、図３、図５、図７、図９などそのデザインは問うものではない。
連結具（２）は、対向する角部（１１）の左右に取り付けるので、２個が一組になる。
【００２７】
実施例１のパーテーションの組み立ては、４個の構成部品を、図１、図６のようにテーブル上に配置し、Ｌ形パネル（１）Ａの角部（１１）とＬ形パネル（１）Ｂの角部（１１）を矢印Ｐのように突き合わせ、その位置で連結具（２）をはめ込んで一体的に連結固定する。
連結具（２）は、上方から嵌合連結する構成のため、その取付け取外しは極めて簡単である。
【００２８】
図７は、パーテーションの実施例１の連結状態を示す図面代用写真である。
パネル上端を挟む挟着片を長く形成した連結具（２）をＬ形パネル（１）Ａの角部（１１）上縁とＬ形パネル（１）Ｂの角部（１１）上縁に取り付けて一体固定した状態を示している。
【００２９】
図４は、その連結具（２）に返し辺（３０）を付設した斜視図である。
返し辺（３０）は、飛沫吐出流が正面パネル（１３）を乗り越えにくくするための遮蔽で、連結具（２）の上面に水平な位置で長尺の薄い板体を付設している。
返し辺（３０）は、見た目にも飛沫吐出流を下方に誘導する印象があり、心理的効果もある。
連結具に返し辺を付設するか、又はＬ形パネルの上縁の前後左右すべてに返し辺を付設するか、一部返し辺を省略するかは、飛沫に含まれるウイルスの性質や、飛沫吐出状況で選択できる。
【００３０】
図９、図１０の連結具（２０）は、Ｌ形パネル（１）Ａの角部（１１）上縁とＬ形パネル（１）Ｂの角部（１１）上縁を横付け接合して連結するもので背面に接着層（２３）を設けた平面視Ｌ状の連結具（２０）である。
横付けするので後付けになり、取り付ける高さ位置は上端が好ましいが、任意の追加で中途の高さ位置に取り付けることもできる。
連結具（２０）は、接着するのでより堅固に連結する。
【００３１】
図１１は、連結具（２０）を正面パネル（１３）の上端左右に付着して、その左右の連結具（２０）の上面に返し辺（３０）を付設した構成を示している。
背面に接着層（２３）を設けた平面視Ｌ状の連結具（２０）は、返し辺（３０）を後付けするときに特に有用である。
【００３２】
相対してテーブルに着席し、或いは並んで着席し食事をする場合、本考案のパーテーションを設置すると、正面パネル（１３）の高さが座高より少し高い位の高さでも、飛沫吐出流は、正面パネル（１３）に当たって、図１の流れＴのように下方に流れ落ちてゆく。ＡＩのシミュレーションによれば相応の遮蔽効果が期待できる。
さらに、例えば図４や図１１のように、返し辺（３０）が付設されていると、飛沫吐出流はその返しによって、より下方への流れＴができ、正面パネル（１３）を越えにくくなり、感染予防により有効である。
年長園児や小学生には、体格の成長に沿って飛沫吐出流が早く大きくなるので、状況に応じて返し辺（３０）の付設が検討できる。
返し辺（３０）は、細長板や紙テープでもよい。
返し辺（３０）は、連結具（２０）を利用して着脱自在に付設できる。
さらに返し辺（３０）は、正面パネル（１３）のみに付設するのではなく、側面パネル（１４）の上縁に付設することもできる。
Ｌ形パネル（１）の上縁の前後左右に付設すれば、飛沫拡散の予防効果は向上すると推測できる。
【００３３】
図８は、本考案に係るパーテーションの実施例１の設置例で、幼稚園の園児を３名着席させて実際に使用している状態の図面代用写真である。
テーブルを４分割して分離空間を４個所作成している。
２名並んで使用する場合や４名で相対して使用する場合があるが、いずれでも飛沫吐出流は、Ｌ形パネル（１）ＡとＬ形パネル（１）Ｂで、遮蔽できる。
又、連結具（２）は、中央の交差個所に位置してあり、白色などの非透明体であると幼児にもすぐに目に留まり、透明パネルの存在に気付かせる。
目立つ非透明な連結具（２）は、幼児や小学生にとっては、注意喚起の機能も少なくない。
【００３４】
図１２、図１３は、実施例１のＬ形パネル（１）ＡとＬ形パネル（１）Ｂの寸法を変更したもので、図９、図１０に示す連結具（２０）を用いた実施例を説明する平面図である。
連結具（２０）は、前述の通り背面に接着層（２３）を設けてあり、Ｌ形パネル（１）Ａの角部（１１）上縁とＬ形パネル（１）Ｂの角部（１１）上縁を横付け接合して連結する。
【００３５】
実施例１に示すＬ形パネル（１）Ａ及びＬ形パネル（１）Ｂの寸法は、両方とも同じ寸法で、対象テーブルサイズＷ１２００ｍｍ×Ｄ６００に対応するもので、正面パネル幅５７０ｍｍ×高さ４００ｍｍ  側面パネル幅２８０ｍｍ×高さ４００ｍｍである。
Ｌ形パネル（１）Ａ及びＬ形パネル（１）Ｂを連結した状態では、長手方向の幅１１４０ｍｍ×奥行５６０ｍｍ×高さ４００ｍｍとなっている。
【００３６】
図１２、図１３は、対象テーブルサイズＷ９００ｍｍ×Ｄ６００に対応するもので、実施例１のＬ形パネル（１）ＡとＬ形パネル（１）Ｂの寸法を小さくし、変更したもので、正面パネル幅４２５ｍｍ×高さ４００ｍｍ  側面パネル幅２８０ｍｍ×高さ４００ｍｍである。
Ｌ形パネル（１）Ａ及びＬ形パネル（１）Ｂを連結した状態では、長手方向の幅８５０ｍｍ×奥行５６０ｍｍ×高さ４００ｍｍとなっている。
寸法はあくまで一例であり、テーブルに合わせて変更できる。
【００３７】
本考案に係るパーテーションの実施例は、本考案の実施範囲を制限するものではない。本実用新案登録請求の範囲内で行われる素材の変更、デザイン形状の変更、設計上の変更は、本考案の範囲に属すものであり、様々に想定できる。
【産業上の利用可能性】
【００３８】
本考案は、幼児や小学生を飛沫感染から防御するために開発したものであるが、
テーブルの大きさに合わせて連結できるので、オフィスでの会議テーブル、作業用テーブルのパーテーションや老人施設や身体障害者施設のテーブルのパーテーションにも広く利用できる。
【符号の説明】
【００３９】
１        Ｌ形パネルＡ
１        Ｌ形パネルＢ
１１      Ｌ形パネルの角部
１２      Ｌ形パネルの隅丸（４個所の隅丸）
１３      正面パネル
１４      側面パネル
２        連結具
２１      挟着片
２２      挟着溝
２０      連結具（横付け）
２３      接着層
３０      返し辺
Ｐ        Ｌ形パネルの角部を寄せ合う方向
Ｔ        飛沫気流の流れ
【図１】
0003228143.tif 000003
【図２】
0003228143.tif 000004
【図３】
0003228143.tif 000005
【図４】
0003228143.tif 000006
【図５】
0003228143.tif 000007
【図６】
0003228143.tif 000008
【図７】
0003228143.tif 000009
【図８】
0003228143.tif 000010
【図９】
0003228143.tif 000011
【図１０】
0003228143.tif 000012
【図１１】
0003228143.tif 000013
【図１２】
0003228143.tif 000014
【図１３】
0003228143.tif 000015
【図１４】
0003228143.tif 000016